(57)【要約】【課題】検索条件に該当するコンテンツを含むファイルを包括的に把握することができ、利便性を向上させる。【解決手段】各アプリケーションに対応する複数のファイルのコンテンツを表示する表示部１０を備える携帯情報端末であって、検索条件に該当するコンテンツを含むファイルを取得する機能と、取得したファイルを、アプリケーション毎に、予め定めたレイアウトで配置する機能と、配置したファイルを前記表示部に表示させる機能とを有するコンテンツ検索結果表示制御部３１を備える。【選択図】図２
2010027091.tif 000002
【特許請求の範囲】
【請求項１】
各アプリケーションに対応する複数のファイルのコンテンツを表示する表示部を備える携帯情報端末であって、
検索条件に該当するコンテンツを含むファイルを取得する取得手段と、
取得したファイルを、アプリケーション毎に、予め定めたレイアウトで配置する配置手段と、
配置したファイルを前記表示部に表示させる表示制御手段と、
を備える携帯情報端末。
【請求項２】
請求項１記載の携帯情報端末であって、
前記配置手段は、検索条件に該当するコンテンツを含むファイルを、ファイルの属性情報とともに配置する携帯情報端末。
【請求項３】
請求項１又は２記載の携帯情報端末であって、
前記配置手段は、検索条件に該当するコンテンツを含むファイルをスクロールさせて表示できる範囲内に配置する携帯情報端末。
【請求項４】
請求項１ないし３のいずれか一項記載の携帯情報端末であって、
前記配置手段は、検索条件に該当するコンテンツを含むファイルをアプリケーション毎にタブで分類して配置する携帯情報端末。
【請求項５】
請求項１ないし４のいずれか一項記載の携帯情報端末であって、
前記表示制御手段は、送信された電子メールファイルと受信された電子メールファイルとを識別可能に表示させる携帯情報端末。
【請求項６】
請求項１ないし５のいずれか一項記載の携帯情報端末であって、
前記配置手段は、取得した画像ファイルをサムネイルとして配置する携帯情報端末。
【請求項７】
各アプリケーションに対応する複数のファイルのコンテンツを表示部に表示させるためのプログラムであって、コンピュータを、
検索条件に該当するコンテンツを含むファイルを取得する取得手段、
取得したファイルを、アプリケーション毎に、予め定めたレイアウトで配置する配置手段、
配置したファイルを前記表示部に表示させる表示制御手段、
として機能させるためのプログラム。
【発明の詳細な説明】
【技術分野】
【０００１】
本発明は、携帯情報端末及びその表示制御プログラムに関する。
【背景技術】
【０００２】
携帯電話やＰＤＡ（Personal Digital Assistant）などの携帯情報端末では、電話や電子メールといった無線通信手段としての用途に加え、近年、必要な情報を即座に収集したり、収集した情報を手軽に蓄積したりする情報管理手段としての機能ニーズが高まっている。そのため、必要な情報に的確にアクセスするための検索機能の充実も重要な製品開発テーマとなっている。
【０００３】
また、検索した情報を携帯電話端末に表示する技術として、携帯電話端末から、インターネット経由で、列車などの運行状況に関する情報を提供するサイトにアクセスして日付や路線名などを指定すると、当該路線等に関する現在の運行情報が検索され、携帯電話端末に表示されるものがある（例えば、特許文献１参照）。
【先行技術文献】
【特許文献】
【０００４】
【特許文献１】特開２００２−３０８０９９号公報（第４−９頁、第１図）
【発明の概要】
【発明が解決しようとする課題】
【０００５】
ところで、一般に何等かの情報を把握しようとするとき、把握したい情報が１種類だけであることは非常に稀であり、通常は検索条件（即ち、検索のキーとなる項目）に関連する複数種類の情報を把握したい場合が多い。特に、携帯情報端末で管理されるスケジュールや電話帳または住所録といった情報に関しては、１つの検索項目に対して複数の情報が同時に把握できることが好ましい。
【０００６】
例えば、スケジューラを起動し、過去の日付を指定して当該日のスケジュールを確認する際、そのスケジュールに関連して当日にやり取りした電子メールの履歴を確認したい場合がある。このような場合、携帯電話端末の操作者は、一旦スケジューラを終了し、改めて電子メールのメーラを起動し、更に電子メールリストをスクロールして当日の電子メールを手動で探す必要があった。送信メールと受信メールの両方について確認したい場合は、受信フォルダ、送信フォルダの両方について同様の作業が必要で、このような作業は煩雑で時間がかかる。
【０００７】
本発明は、上記事情に鑑みてなされたものであって、検索条件に該当するコンテンツを含むファイルを包括的に把握することができ、利便性を向上させることができる携帯情報端末及び表示制御プログラムを提供することを目的とする。
【課題を解決するための手段】
【０００８】
本発明の携帯情報端末は、各アプリケーションに対応する複数のファイルのコンテンツを表示する表示部を備える携帯情報端末であって、検索条件に該当するコンテンツを含むファイルを取得する取得手段と、取得したファイルを、アプリケーション毎に、予め定めたレイアウトで配置する配置手段と、配置したファイルを前記表示部に表示させる表示制御手段と、を備える。上記構成によれば、取得したファイルを、アプリケーション毎に、予め定めたレイアウトで配置する配置手段を備えることにより、複数のアプリケーションから検索した結果を集約して表示できる為、検索条件に該当するコンテンツを含むファイルを包括的に把握することができ、利便性を向上させることができる。
【０００９】
また、本発明の携帯情報端末は、前記配置手段が、検索条件に該当するコンテンツを含むファイルを、ファイルの属性情報とともに配置するものである。上記構成によれば、配置手段が、検索条件に該当するコンテンツを含むファイルを、ファイルの属性情報とともに配置することにより、表示部に表示されたあるファイルを参照する際、属性情報に基づいてそのファイルに対応するアプリケーションの機能を利用できる為、利便性をさらに向上させることができる。
【００１０】
また、本発明の携帯情報端末は、前記配置手段が、検索条件に該当するコンテンツを含むファイルをスクロールさせて表示できる範囲内に配置するものである。上記構成によれば、配置手段が、検索条件に該当するコンテンツを含むファイルをスクロールさせて表示できる範囲内に配置することにより、表示可能な領域を拡張できる為、画面内に全ファイルを配置する必要がなくなる。
【００１１】
また、本発明の携帯情報端末は、前記配置手段が、検索条件に該当するコンテンツを含むファイルをアプリケーション毎にタブで分類して配置するものである。上記構成によれば、配置手段が、検索条件に該当するコンテンツを含むファイルをアプリケーション毎にタブで分類して配置することにより、各アプリケーションが扱うファイルがタブ毎に表示される為、見やすくなる。
【００１２】
また、本発明の携帯情報端末は、前記表示制御手段が、送信された電子メールファイルと受信された電子メールファイルとを識別可能に表示させるものである。上記構成によれば、前記表示制御手段が、送信された電子メールファイルと受信された電子メールファイルとを識別可能に表示させることにより、日付などの検索条件に該当する電子メールファイルの検索結果を、送信メールか受信メールかを区別して把握することができる。
【００１３】
また、本発明の携帯情報端末は、前記配置手段が、取得した画像ファイルをサムネイルとして配置するものである。上記構成によれば、配置手段が、取得した画像ファイルをサムネイルとして配置することにより、画像ファイルの検索結果をコンテンツが分かるようにコンパクトに配置できる為、画像ファイルのコンテンツを容易に把握することができる。
【００１４】
また、本発明の表示制御プログラムは、各アプリケーションに対応する複数のファイルのコンテンツを表示部に表示させるためのプログラムであって、コンピュータを検索条件に該当するコンテンツを含むファイルを取得する取得手段、取得したファイルを、アプリケーション毎に、予め定めたレイアウトで配置する配置手段、配置したファイルを前記表示部に表示させる表示制御手段、として機能させるためのプログラムである。
【発明の効果】
【００１５】
本発明によれば、取得したファイルを、アプリケーション毎に、予め定めたレイアウトで配置することにより、複数のアプリケーションから検索した結果を表示できる為、検索条件に該当するコンテンツを含むファイルを包括的に把握することができ、利便性を向上させることができる。
【図面の簡単な説明】
【００１６】
【図１】本発明の実施の形態１における携帯電話端末の外観を示す図
【図２】本発明の実施の形態１における携帯電話端末の内部構成を示す図
【図３】本発明の実施の形態１における携帯電話端末の、コンテンツ検索及び結果表示動作手順を示すフローチャート
【図４】リンクさせたアプリケーションの起動及び検索処理の手順を示すフローチャート
【図５】スケジュールファイルの表示処理手順を示すフローチャート
【図６】日記ファイルの表示処理手順を示すフローチャート
【図７】情報ファイルの表示処理手順を示すフローチャート
【図８】当日にやり取りした電子メールの表示処理手順を示すフローチャート
【図９】当日メールリストの表示処理手順を示すフローチャート
【図１０】当日に取得または生成した画像ファイルの表示処理手順を示すフローチャート
【図１１】日付選択入力画面の画面表示例を示す図
【図１２】ナビゲーションキーの左右キー操作によるタブ画面の表示遷移を示す図
【図１３】ナビゲーションキーの左右キー及び上下キー操作によるタブ画面及びタブ画面内項目の表示遷移を示す図
【図１４】情報タブ画面内における表示遷移を示す図
【図１５】本発明の実施の形態２における携帯電話端末の、日付をキーとして複数のアプリケーションでの検索結果を表示する場合の画面表示例を示す図
【図１６】本発明の実施の形態３における携帯電話端末の、名前をキーとして複数のアプリケーションでの検索結果を表示する場合の画面表示例を示す図
【発明を実施するための形態】
【００１７】
以下、添付図面を参照しながら本発明の実施の形態に係る携帯情報端末について詳細に説明する。尚、以下の実施の形態では、携帯電話端末を携帯情報端末の一例として説明する。尚、携帯情報端末は、携帯電話端末に限定されるものではなく、ＰＤＡ（Personal Digital Assistance）などがある。また、実施の形態を説明するための全図において、同一機能を有するものは同一符号を付与することとし、重複する説明は省略する。
【００１８】
［実施の形態１］
図１は、本発明の実施の形態１における携帯電話端末の外観を示す図である。図１に示す携帯電話端末１００は、各アプリケーションに対応する複数のファイルのコンテンツを表示する表示部１０と、操作部２０とを備える。尚、ファイルは、コンテンツを格納するものであり、アプリケーションは、ファイルに格納されるコンテンツを処理するためのプログラムである。また、携帯電話端末１００は、検索条件に該当するコンテンツを含むファイルを取得する機能、取得したファイルを、アプリケーション毎に、予め定めたレイアウトで配置する機能及び配置したファイルを表示部１０に表示させる機能を有するコンテンツ検索結果表示制御部３１（図２参照）を備える。
【００１９】
表示部１０は、液晶ディスプレイや有機ＥＬディスプレイなどで形成され、携帯電話端末１００の操作者に入力を促す表示や、その入力に応答した各種の表示を文字や画像等で行う。操作部２０は、各種のキーやボタン類で構成され、上下左右に画面のスクロールを行うためのナビゲーションキー２１、選択を行うためのソフトキー２２、その他のソフトキー２３、２４、２５、などで構成される。携帯電話端末１００の操作者は、これらのキーやボタンを操作して入力を行う。
【００２０】
図２は、本発明の実施の形態１における携帯電話端末の内部構成を示す図である。携帯電話端末１００は、上述の表示部１０、操作部２０に加え、制御部３０、記憶部４０、無線通信部５０を備える。
【００２１】
制御部３０は、携帯電話端末全体の動作を統括制御するものであり、更に、コンテンツ検索結果表示制御部３１を含む。コンテンツ検索結果表示制御部３１は、表示部１０の画面上に表示する複数のコンテンツの検索結果の構成及び表示を制御する。制御部３０は、予め携帯電話端末内に格納された各種の制御用プログラムを実行することにより制御動作を実現する。コンテンツ検索結果表示制御部３１は、各アプリケーションに対応する複数のファイルに対して、後述する「日付関連コンテンツ検索結果表示プログラム」や「名前関連コンテンツ検索結果表示プログラム」などの制御用プログラムを実行して、複数のアプリケーションから検索した結果を集約して表示するための制御を行う。
【００２２】
記憶部４０は、メモリで構成され、各種ファイルを格納する。例えば、送受信を行った電子メールファイルや、作成したメモや日記ファイルのファイル、付属の電子カメラ（図示省略）で撮影したりダウンロードしたりして取得した画像ファイル、などが格納される。また、上述の制御用プログラムや、その制御用プログラムが検索対象とする複数のファイルに対応する各種アプリケーションプログラム（アプリケーション）、画面表示に使用するフォーマットやアイコン等の画像ファイル、などもこの記憶部に格納される。尚、検索対象のファイルに対応するアプリケーションプログラムとしては、電子メールのメーラ、スケジューラ、Ｗｅｂブラウザ、住所録や画像などのデータ管理ツール、などがあるが詳細については後述する。尚、記憶部は、携帯電話端末の外部に設け、ネットワークを介して接続してもよい。
【００２３】
無線通信部５０は、無線通信により電話や電子メール等の送受信を行う。尚、電話の接続確立方法や電子メールの送受信方法などは公知の手法を用いてよい。従って無線通信部５０の詳細な構成及び動作については説明を省略する。
【００２４】
次に、上記構成の携帯電話端末１００の、１つの検索条件に関連して複数のコンテンツの検索結果を表示する動作について詳細に説明する。
【００２５】
図３は、本発明の実施の形態１における携帯電話端末の、コンテンツ検索及び結果表示動作手順を示すフローチャートである。以下、携帯電話端末１００の操作者が、日付を選択して、その日に関連する、スケジュール、日記、メール、その他情報を選択的に表示する場合の例を説明する。はじめに、操作部２０のキー押下など、所定の操作により、「日付関連コンテンツ検索結果表示プログラム」を起動する（ステップＳ１０１）。尚、「日付関連コンテンツ検索結果表示プログラム」は、記憶部４０に記憶される。「日付関連コンテンツ検索結果表示プログラム」は、「日付」という検索条件に対し、各アプリケーションに対応する複数のファイルの中から、検索条件に該当するコンテンツを含むファイルを取得し、取得したファイルを、その属性情報とともに、アプリケーション毎に、予め定めたレイアウトで配置し、配置したファイルを表示部１０に表示させるためのプログラムである。制御部３０のコンテンツ検索結果表示制御部３１は、表示部１０に初期画面である日付選択入力画面２００を表示する（ステップＳ１０２）。図１１は、日付選択入力画面２００の画面表示例を示す図である。
【００２６】
携帯電話端末の操作者は、ナビゲーションキー２１の上下左右キーを操作して図１１に示すカレンダー画面上でカーソル１１を移動させ、ソフトキー２２を押下して日付の選択（検索条件の設定）を行う（ステップＳ１０３）。日付が選択されるとコンテンツ検索結果表示制御部３１は、当該検索条件に該当するコンテンツの検索を行うために、検索対象としてリンクさせた複数のアプリケーションの起動と検索処理を行う（ステップＳ１０４）。この処理の詳細について次に説明する。
【００２７】
図４は、リンクさせたアプリケーションの起動及び検索処理の手順を示すフローチャートである。本実施の形態では、日付に関連して、スケジューラ、日記帳作成ツール、データ管理ツール、メーラを起動させ、各アプリケーションにそれぞれ対応するファイルのコンテンツの検索を行うようにリンクを設定している。はじめに、コンテンツ検索結果表示制御部３１は、スケジューラを起動させ、選択された当該日付のスケジュールファイルを検索する（ステップＳ２０１）。次に、日記帳作成ツールを起動させ、日記帳データフォルダ内で当該日付の日記ファイルを検索する（ステップＳ２０２）。
【００２８】
同様に、データ管理ツールを起動させ、画像ファイルフォルダ内で当該日付に取得した画像ファイルを検索し（ステップＳ２０３）、更に、メーラを起動させ、当該日付に送受信した電子メールファイルを検索する（ステップＳ２０４）。コンテンツ検索結果表示制御部３１は、上記の手順で取得した複数のコンテンツの検索結果を、アプリケーション毎に、予め定めたレイアウトで、タブ別に集約して配置する（ステップＳ２０５）。また、日付に関連してリンクを設定するアプリケーションは任意であり、携帯電話端末の操作者が自由に設定できるようにしてもかまわない。以上で、複数のアプリケーションでの検索処理が終了する。
【００２９】
図３のフローチャートに戻り、選択された日付をキーにして、各アプリケーションに対応する複数のファイルの検索が終了する（ステップＳ１０４）。すると、コンテンツ検索結果表示制御部３１は、ナビゲーションキー２１の左右キーの入力を検知する（ステップＳ１０５）。最初は、左右キーの押下がないのでスケジュールファイルの表示処理を実行する（ステップＳ１０６）。表示処理の詳細は後述するが、この表示処理により表示部１０には図１２（ａ）に示すような当日のスケジュールタブの画像２０１が表示される。一方、例えば、その後ナビゲーションキー２１の右キーが押下されると、コンテンツ検索結果表示制御部３１が日記ファイルの表示処理を実行して、表示部１０には図１２（ｂ）に示すような当日の日記タブの画像３０１が表示される（ステップＳ１０７）。即ち、タブが１つ右へ移動する。同様に、更にナビゲーションキー２１の右キーが押下されると、情報ファイルの表示処理により図１２（ｃ）に示すような当日の情報タブの画像４０１が表示される（ステップＳ１０８）。即ち、タブが更に１つ右へ移動する。このように、ナビゲーションキー２１の左右キーの押下によりタブの切り替えが自在に行える。
【００３０】
次に、上記の３つタブの表示処理について詳細に説明する。はじめに、スケジュールファイルの表示処理（図３のフローチャートのステップＳ１０６）について説明する。図５は、スケジュールファイルの表示処理手順を示すフローチャートである。最初に、コンテンツ検索結果表示制御部３１は、図３のステップＳ１０４で取得したスケジュールファイルを当日のスケジュールタブの画像２０１として表示する（ステップＳ３０１）。図１３（ａ）に示すこの表示状態において、コンテンツ検索結果表示制御部３１は、「戻るキー」（ソフトキー２４）の押下の有無を検知する（ステップＳ３０２）。戻るキーの押下を検出した場合、図１３（ｊ）に示す日付選択入力画面（カレンダー表示）に戻るので（ステップＳ３０３）、改めて日付の選択が行える状態となる。
【００３１】
一方、戻るキーの押下を検出しなかった場合、コンテンツ検索結果表示制御部３１は、次にナビゲーションキー２１の右キーの押下の有無を検知する（ステップＳ３０４）。右キーの押下を検出した場合、後述する日記ファイルの表示処理へ移行するので（ステップＳ３０５）、図１３（ｄ）に示すような当日の日記タブの画像３０１が表示される。即ち、右キーの押下で「日記」タブへ移動することができる。
【００３２】
一方、右キーの押下を検出しなかった場合、コンテンツ検索結果表示制御部３１は、次にナビゲーションキー２１の上下キーの押下を検知する（ステップＳ３０６）。下キーの押下を検出した場合、前日のスケジュールファイルの検索処理を行う（ステップＳ３０７）。これは、図３のフローチャートにおけるステップＳ１０４の処理へ移行して、「前日」の日付でスケジュールの検索を行う処理であり、その後、再度ステップＳ３０１の手順に戻って「前日」のスケジュール表示を行う。同様に、上キーの押下を検出した場合、翌日のスケジュールファイルの検索処理を行う（ステップＳ３０８）。これも、図３のフローチャートにおけるステップＳ１０４の処理へ移行して、「翌日」の日付でスケジュールの検索を行う処理である。その後、再度ステップＳ３０１の手順に戻って「翌日」のスケジュール表示を行う。図１３（ｂ）は、下キーを押下した場合に表示される前日のスケジュールタブの画像２０２の画面表示例を示している。尚、この状態で右キーを押下すると、同様の手順により、図１３（ｅ）に示すようにそのままの日付で、前日の日記タブの画像３０２に移行する。
【００３３】
一方、上下キーの押下を検出しなかった場合、コンテンツ検索結果表示制御部３１は、次に「選択キー」（ソフトキー２２）の押下を検知する（ステップＳ３０９）。選択キーの押下を検出した場合は選択応答処理を行う（ステップＳ３１０）。ここでは、当該日付におけるスケジュールの表示モードとなり、選択した項目の詳細内容が表示される。具体的には、図１３（ｃ）に示すようにスケジュールタブの画像２０３にカーソル（ハイライト表示）が表示される。このため、操作者がナビゲーションキー２１の上下キーでハイライト表示の部分を移動させ、所望の位置にて選択キーを押下すると、コンテンツ検索結果表示制御部３１は当該スケジュール項目の詳細内容を表示する（図示省略）。尚、例えば、図１３（ｃ）の状態で右キーを押下しても、同様の手順により、図１３（ｆ）に示すようにそのままの日付で、前日の日記タブの画像３０３へ移行することができる。以上で、スケジュールファイルの表示処理手順が終了する。
【００３４】
次に、日記ファイルの表示処理（図３のフローチャートのステップＳ１０７）について説明する。図６は、日記ファイルの表示処理手順を示すフローチャートである。ナビゲーションキー２１の左右キーの押下等により日記タブが選択されると、コンテンツ検索結果表示制御部３１は、図３のステップＳ１０４で取得した日記ファイルにリンクする画像データがあるか否かを判定する（ステップＳ４０１）。画像データがある場合は、リンクする画像データを取得してから（ステップＳ４０２）、図１３（ｄ）に示すようにサムネイル画像を日記のテキストファイルと一緒に当日の日記タブの画像３０１として表示する（ステップＳ４０３）。一方、画像ファイルが無い場合はテキストファイルのみを表示する。
【００３５】
図１３（ｄ）に示すこの表示状態において、コンテンツ検索結果表示制御部３１は、「戻るキー」（ソフトキー２４）の押下の有無を検知する（ステップＳ４０４）。戻るキーの押下を検出した場合、図１３（ｊ）に示す日付選択入力画面（カレンダー表示）に戻るので（ステップＳ４０５）、改めて日付の選択が行える状態となる。
【００３６】
一方、戻るキーの押下を検出しなかった場合、コンテンツ検索結果表示制御部３１は、次にナビゲーションキー２１の左右キーの押下の有無を検知する（ステップＳ４０６）。左キーの押下を検出した場合、前述のスケジュールファイルの表示処理へ移行する（ステップＳ４０７）。これにより、図１３（ａ）に示すような当日のスケジュールタブの画像２０１が表示される。即ち、左キーの押下で「スケジュール」タブへ移動することができる。一方、右キーの押下を検出した場合、後述する情報ファイルの表示処理へ移行する（ステップＳ４０８）。これにより、図１３（ｇ）に示すような当日の情報タブの画像４０１が表示される。即ち、右キーの押下で「情報」タブへ移動することができる。
【００３７】
一方、左右キーの押下を検出しなかった場合、コンテンツ検索結果表示制御部３１は、次にナビゲーションキー２１の上下キーの押下を検知する（ステップＳ４０９）。下キーの押下を検出した場合、前日の日記ファイルの検索処理を行う（ステップＳ４１０）。これは、図３のフローチャートにおけるステップＳ１０４の処理へ移行して、「前日」の日付で日記ファイルの検索を行う処理である。その後、再度ステップＳ４０１の手順に戻って「前日」の日記ファイル表示を行う。同様に、上キーの押下を検出した場合、翌日の日記ファイルの検索処理を行う（ステップＳ４１１）。これも、図３のフローチャートにおけるステップＳ１０４の処理へ移行して、「翌日」の日付で日記ファイルの検索を行う処理である。その後、再度ステップＳ４０１の手順に戻って「翌日」の日記ファイル表示を行う。図１３（ｅ）は、下キーを押下した場合に表示される前日の日記タブの画像３０２の画面表示例を示している。尚、この状態で左キーを押下すると、同様の手順により、図１３（ｂ）に示すようにそのままの日付で、前日のスケジュールタブの画像２０２に移行する。また、この状態で右キーを押下すると、同様の手順により、図１３（ｈ）に示すようにそのままの日付で、前日の情報タブの画像４０２に移行する。
【００３８】
一方、上下キーの押下を検出しなかった場合、コンテンツ検索結果表示制御部３１は、次に「選択キー」（ソフトキー２２）の押下を検知する（ステップＳ４１２）。選択キーの押下を検出した場合は選択応答処理を行う（ステップＳ４１３）。ここでは、当該日付の日記にリンクした画像の拡大表示モードとなり、選択した画像が全画面表示される。具体的には、図１３（ｆ）に示すように日記タブの画像３０３にカーソル（ハイライト表示）が表示される。これにより、操作者がナビゲーションキー２１の上下キーでハイライト表示の部分を移動させ（複数の画像がある場合）、所望の位置にて選択キーを押下すると、コンテンツ検索結果表示制御部３１は当該画像ファイルを全画面表示する。尚、図１３（ｆ）の状態で左キーを押下しても、同様の手順により、図１３（ｃ）に示すようにそのままの日付で、前日のスケジュールタブの画像２０３に移行することができる。また、例えば図１３（ｆ）の状態で右キーを押下しても、同様の手順により、図１３（ｉ）に示すようにそのままの日付で、前日の情報タブの画像４０３に移行することができる。以上で、日記ファイルの表示処理手順が終了する。尚、画像ファイルを表示する際、全画面表示に限らず、画像ファイルをサムネイルとして配置させても良い。
【００３９】
次に、情報ファイルの表示処理（図３のフローチャートのステップＳ１０８）について説明する。図７は、情報ファイルの表示処理手順を示すフローチャートである。ナビゲーションキー２１の左右キーの押下等により情報タブが選択されると、コンテンツ検索結果表示制御部３１は、図３のステップＳ１０４で取得した画像及び電子メールのリスト等に基づいて、図１３（ｇ）に示すような当日の情報タブの画像４０１を表示する（ステップＳ５０１）。図１３（ｇ）に示すこの表示状態において、コンテンツ検索結果表示制御部３１は、「戻るキー」（ソフトキー２４）の押下の有無を検知する（ステップＳ５０２）。戻るキーの押下を検出した場合、図１３（ｊ）に示す日付選択入力画面（カレンダー表示）に戻るので（ステップＳ５０３）、改めて日付の選択が行える状態となる。
【００４０】
一方、戻るキーの押下を検出しなかった場合、コンテンツ検索結果表示制御部３１は、次にナビゲーションキー２１の左キーの押下の有無を検知する（ステップＳ５０４）。左キーの押下を検出した場合、前述の日記ファイルの表示処理へ移行する（ステップＳ５０５）、これにより、図１３（ｄ）に示すような当日の日記タブの画像３０１が表示される。即ち、左キーの押下で「日記」タブへ移動することができる。
【００４１】
一方、左キーの押下を検出しなかった場合、コンテンツ検索結果表示制御部３１は、次にナビゲーションキー２１の上下キーの押下を検知する（ステップＳ５０６）。下キーの押下を検出した場合、前日の情報ファイルの検索処理を行う（ステップＳ５０７）。これは、図３のフローチャートにおけるステップＳ１０４の処理へ移行して、「前日」の日付で情報ファイル（即ち、画像と電子メール）の検索を行う処理であり、その後、再度ステップＳ５０１の手順に戻って「前日」の情報ファイル表示を行う。同様に、上キーの押下を検出した場合、翌日の情報ファイルの検索処理を行う（ステップＳ５０８）。これも、図３のフローチャートにおけるステップＳ１０４の処理へ移行して、「翌日」の日付で情報ファイルの検索を行う処理である。その後、再度ステップＳ５０１の手順に戻って「翌日」の情報ファイル表示を行う。図１３（ｈ）は、下キーを押下した場合に表示される前日の情報タブの画像４０２の画面表示例を示している。尚、例えばこの状態で左キーを押下すると、同様の手順により、図１３（ｅ）に示すようにそのままの日付で、前日の日記タブの画像３０２に移行する。
【００４２】
一方、上下キーの押下を検出しなかった場合、コンテンツ検索結果表示制御部３１は、次に「選択キー」（ソフトキー２２）の押下を検知する（ステップＳ５０９）。選択キーの押下を検出した場合、当該日付における画像または電子メールの確認モードとなり、選択した項目について詳細内容を表示できるようになる。コンテンツ検索結果表示制御部３１は、更にナビゲーションキー２１の下キーの押下を検知する（ステップＳ５１０）。具体的には、図１３（ｉ）に示すように情報タブの画像４０３にカーソル（ハイライト表示）が表示されるので、操作者がナビゲーションキー２１の上下キーで「当日画像確認」または「当日メール確認」へ移動させる。即ち、図１３（ｉ）に示す情報タブの画像４０３の表示状態で下キーを押下すれば「当日メール確認」がハイライト表示され、下キーを押下しなければ「当日画像確認」がハイライト表示されたままとなる。
【００４３】
下キーの押下を検出した場合、コンテンツ検索結果表示制御部３１は、続いて選択キーの押下を検知する（ステップＳ５１１）。そして、選択キーの押下を検出した場合は当日にやりとりした電子メールの表示処理を行う（ステップＳ５１２）。一方、下キーの押下を検出しなかった場合、コンテンツ検索結果表示制御部３１は、続いて選択キーの押下を検知する（ステップＳ５１３）。そして、選択キーの押下を検出した場合は当日に取得した画像ファイルの表示処理を行う（ステップＳ５１４）。当日メールの表示処理（ステップＳ５１２）及び当日画像の表示処理（ステップＳ５１４）の詳細については後述する。尚、例えば図１３（ｉ）の状態で左キーを押下しても、同様の手順により、図１３（ｆ）に示すようにそのままの日付で、前日の日記タブの画像３０３へ移行することができる。尚、以上の説明では、ナビゲーションキー２１の上キーを押下すると翌日、下キーを押下すると前日の情報ファイル表示を行う場合を示したが、ナビゲーションキー２１の下キーを押下すると翌日、上キーを押下すると前日の情報ファイル表示を行ってもよい。
【００４４】
次に、当日メールの表示処理（ステップＳ５１２）及び当日画像の表示処理（ステップＳ５１４）の詳細について説明する。
【００４５】
図８は、当日にやり取りした電子メールの表示処理手順を示すフローチャートである。まず、図１４（ａ）に示す情報タブの画像４０３の表示状態で、「当日メール確認」が選択される。そして、コンテンツ検索結果表示制御部３１は、図３のステップＳ１０４で取得した電子メールのデータに基づいて、当日やりとりした電子メールのリストを生成し、図１４（ｂ）に示す当日メールリストの画像５０１として表示する（ステップＳ６０１）。
【００４６】
ここで、この当日メールリストの画像５０１の表示処理手順について説明する。図９は、当日メールリストの表示処理手順を示すフローチャートである。はじめに、コンテンツ検索結果表示制御部３１は、取得した個々の電子メールデータについて、送信メールであるか、または受信メールであるかの判別を行う（ステップＳ７０１）。送信メールである場合は、リストの項目として左向き矢印のアイコンを付加、表示する（ステップＳ７０２）。一方、受信メールである場合はリストの項目として右向き矢印のアイコンを付加、表示する（ステップＳ７０３）。
【００４７】
次に、コンテンツ検索結果表示制御部３１は、取得した個々の電子メールファイルについて、未読メールであるか、または既読メールであるかの判別を行う（ステップＳ７０４）。未読メールである場合は、リストの項目として未読のアイコンを付加、表示する（ステップＳ７０５）。一方、既読メールである場合はリストの項目として既読のアイコンを付加、表示する（ステップＳ７０６）。
【００４８】
次に、コンテンツ検索結果表示制御部３１は、上記のアイコン表示に関連する電子メールのタイトルを表示し当日メールリストを生成する。例えば、図１４（ｂ）に示す当日メールリストの画像５０１では、リスト最上段のメールは、送信アイコン６０１の表示により、携帯電話端末の操作者が送信したメールであることが判る。また、同様にリスト２段目のメールは、受信アイコン６０２の表示により、携帯電話端末の操作者が受信したメールであることが判る。更に、既読アイコン６０３の表示により、携帯電話端末の操作者が既に内容を確認した受信メールであることが判る。以上で当日メールリストの表示処理が終了する。
【００４９】
図８のフローチャートに戻り、図１４（ｂ）に示すこの表示状態において、コンテンツ検索結果表示制御部３１は、「戻るキー」（ソフトキー２４）の押下の有無を検知する（ステップＳ６０２）。戻るキーの押下を検出した場合、図１４（ａ）に示す情報タブの画像４０３に戻る（即ち、図７のフローチャートにおけるステップＳ５１０へ移行する）ので、改めて「当日画像確認」または「当日メール確認」の選択が行える状態となる。
【００５０】
一方、戻るキーの押下を検出しなかった場合、コンテンツ検索結果表示制御部３１は、次にナビゲーションキー２１の上下キーの押下を検知する（ステップＳ６０３）。図１４（ｂ）に示すように、最初にメールリストの最上段にカーソルが表示される（ハイライト表示）。これにより、上下キーの押下により所望の位置へカーソルを移動させることができる（ステップＳ６０４）。コンテンツ検索結果表示制御部３１は、次に「選択キー」（ソフトキー２２）の押下を検知する（ステップＳ６０５）。選択キーの押下を検出した場合は当該電子メールのテキスト全文を表示する（ステップＳ６０６、図示省略）。全文表示の状態において、コンテンツ検索結果表示制御部３１は、「戻るキー」（ソフトキー２４）の押下の有無を検知する（ステップＳ６０７）。戻るキーの押下を検出した場合、図１４（ｂ）に示す当日メールリストの画像５０１に戻る（即ち、ステップＳ６０５へ移行する）ので、改めて詳細表示を行いたい電子メールの選択が行える状態となる。以上で当日メールの表示処理が完了する。
【００５１】
次に、図１０は、当日に取得または生成した画像ファイルの表示処理手順を示すフローチャートである。図１４（ａ）に示す情報タブの画像４０３の表示状態で、「当日画像確認」が選択されると、コンテンツ検索結果表示制御部３１は、図３のステップＳ１０４で取得した画像ファイルのリスト情報に基づいて、図１４（ｃ）に示す当日画像リストの画像５０２を生成、表示する（ステップＳ８０１）。
【００５２】
図１４（ｃ）に示すこの表示状態において、コンテンツ検索結果表示制御部３１は、「戻るキー」（ソフトキー２４）の押下の有無を検知する（ステップＳ８０２）。戻るキーの押下を検出した場合、図１４（ａ）に示す情報タブの画像４０３に戻る（即ち、図７のフローチャートにおけるステップＳ５１０へ移行する）。そして改めて「当日画像確認」または「当日メール確認」の選択が行える状態となる。
【００５３】
一方、戻るキーの押下を検出しなかった場合、コンテンツ検索結果表示制御部３１は、次にナビゲーションキー２１の上下キーの押下を検知する（ステップＳ８０３）。図１４（ｃ）に示すように、最初に画像ファイルリストの最上段にカーソルが表示されるので（ハイライト表示）、上下キーの押下により所望の位置へカーソルを移動させることができる（ステップＳ８０４）。コンテンツ検索結果表示制御部３１は、次に「メールキー」（ソフトキー２５）の押下を検知する（ステップＳ８０５）。メールキーの押下を検出した場合は、図１４（ｃ）に示すテキストによるリストが、図１４（ｄ）に示すサムネイルによる当日画像サムネイルリストの画像５０３へ変換される（ステップＳ８０６）。
【００５４】
コンテンツ検索結果表示制御部３１は、次に「選択キー」（ソフトキー２２）の押下を検知する（ステップＳ８０７）。選択キーの押下を検出した場合は当該画像ファイルの拡大画像を表示する（ステップＳ８０８、図示省略）。拡大表示の状態において、コンテンツ検索結果表示制御部３１は、「戻るキー」（ソフトキー２４）の押下の有無を検知する（ステップＳ８０９）。戻るキーの押下を検出した場合、図１４（ｃ）に示す当日画像リストの画像５０２（または図１４（ｄ）示す当日画像サムネイルリストの画像５０３）に戻る（即ち、ステップＳ８０７へ移行する）。これにより、改めて拡大表示を行いたい画像の選択が行える状態となる。以上で当日画像の表示処理が完了する。
【００５５】
以上で、情報ファイルの表示処理手順が終了する。図１２から図１４の画面表示例で説明したように、タブの切り替えはナビゲーションキー２１の左右キーで、また、各タブ内のデータ項目の移動（スクロール）はナビゲーションキー２１の上下キーで行うことができる。つまり、検索結果のファイルを、アプリケーション毎に、予め定めたレイアウトで配置した複数のコンテンツの検索結果を、同じキーの操作ですべて表示することができる。したがって、操作が簡単で、小型の携帯電話端末の表示において大変有効である。
【００５６】
［実施の形態２］
次に、実施の形態１で説明したものと同じ携帯電話端末で、同じく日付を検索条件のキーとして複数のアプリケーションでの検索結果を表示する別の例を示す。尚、実施の形態２における携帯電話端末の構成は、実施の形態１における携帯電話端末の構成と同様である。
【００５７】
図１５は、本発明の実施の形態２における携帯電話端末の、日付を検索条件として複数のアプリケーションでの検索結果を表示する場合の画面表示例を示す図である。本実施の形態では、選択する日付が過去であるか未来であるかにより、検索対象とするアプリケーション（即ち、リンクするアプリケーション）を変更できるように設定している。これにより、検索結果を表示する画面のレイアウトも日付により変化する。図１５に示す例では、過去の日付が選択された場合、当日のスケジュール、天気情報、画像リスト、日記やテキストのメモなどを検索する。また、未来の日付が選択された場合、当日のスケジュール、天気情報、運勢情報、テキストのメモなどを検索して、予め定めたレイアウトで１つのフォーマット上にすべての検索結果の項目をアプリケーション毎に表示する。実施の形態１のようにタブによるコンテンツの分類を行わず、上下のスクロール（例えば、ナビゲーションキー２１の上下キー）のみですべての項目を表示することができる。この場合、それぞれのコンテンツに関する詳細情報を表示したいときは、別なキー操作（例えば、ソフトキー２２の押下）で選択を行う。ところで、上記の天気情報や運勢情報などは、Ｗｅｂブラウザを起動して特定のＷｅｂサイトにアクセスすることにより当該日付の情報を取得する。尚、本実施の形態２における携帯電話端末のコンテンツ検索及び結果表示動作の手順は、実施の形態１のそれに準ずるため説明を省略する。
【００５８】
［実施の形態３］
次に、実施の形態１及び２で説明したものと同じ携帯電話端末で、検索条件として名前をキーに複数のアプリケーションでの検索結果を表示する例について説明する。尚、実施の形態３における携帯電話端末の構成は、実施の形態１における携帯電話端末の構成と同様である。
【００５９】
図１６は、本発明の実施の形態３における携帯電話端末の、名前をキーとして複数のアプリケーションでの検索結果を表示する場合の画面表示例を示す図である。本実施の形態では、コンテンツ検索結果表示制御部３１で「名前関連コンテンツ検索結果表示プログラム」を実行することにより、名前に関連して検索した複数のアプリケーションでの検索結果が集約して表示される。図１６に示す例では、メーラ、スケジューラ、住所録ツール、データ管理ツールなどにリンクして、当該名前の相手に対して電子メールを送信した最新日付や、当該名前の相手から電子メールを受信した最新日付、電話番号や住所、着信メロディタイトル、誕生日などのデータを検索し、１つのフォーマット上に、すべての検索結果の項目が予め定めたレイアウトで配置されて、表示される。
【００６０】
ところで、図１６の画面表示例では示されていないが、指定した名前に関連して、当該名前の相手とやり取りした電子メールの履歴をリスト表示させることも可能である。その際は、実施の形態１と同様の手順に基づいてアイコン表示を行うことにより、相手からの受信メールであるか、または相手への送信メールであるかの区別が容易に行える。また、電子メールファイルをその属性情報とともに配置することにより、属性情報に基づいてメーラの機能を利用できる為、電子メールの履歴から１つの電子メールファイルを選択して、その電子メールに対する返信や転送を行うことができる。尚、本実施の形態３における携帯電話端末のコンテンツ検索及び結果表示動作の手順も、実施の形態１のそれに準ずるため説明を省略する。
【００６１】
尚、上記の「日付関連コンテンツ検索・表示プログラム」や「名前関連コンテンツ検索・表示プログラム」において、検索対象とするアプリケーションは、「日付」や「名前」のキーに対して検索が可能であればどのようなものであってもかまわない。また、検索の順序も実施例にとらわれるものではなく、適切に設定してかまわない。
【００６２】
また、以上の全ての実施の形態において、検索結果の表示レイアウトは一例であり、これに限定されるものではない。更に、検索条件も「日付」や「名前」だけに限定されず、任意の条件をキーとして検索を行い、複数のアプリケーションのそれぞれに対応する複数のファイルのうち検索条件に該当するコンテンツを含むファイルを表示させることができることは言うまでもない。
【００６３】
以上のように、本発明によれば、取得したファイルを、アプリケーション毎に、予め定めたレイアウトで配置する配置手段を備えることにより、複数のアプリケーションから検索した結果を集約して表示できる為、筐体のサイズが小さく表示領域が限定されるという携帯情報端末特有の課題を解決しながら、検索条件に該当するコンテンツを含むファイルを包括的に把握することができ、利便性を向上させることができる複数のコンテンツの検索結果を集約して同一画面上に配置、表示することができる。
【産業上の利用可能性】
【００６４】
本発明は、取得したファイルを、アプリケーション毎に、予め定めたレイアウトで配置する配置手段を備えることにより、複数のアプリケーションから検索した結果を表示できる為、検索条件に該当するコンテンツを含むファイルを包括的に把握することができ、利便性を向上させることができる効果を有し、携帯情報端末及びその表示制御プログラム等に有用である。
【符号の説明】
【００６５】
１０  表示部
１１  カーソル
２０  操作部
２１  ナビゲーションキー
２２、２３、２４、２５  ソフトキー
３０  制御部
３１  コンテンツ検索結果表示制御部
４０  記憶部
５０  無線通信部
５１  アンテナ
１００  携帯電話端末 
【図１】
2010027091.tif 000003
【図２】
2010027091.tif 000004
【図３】
2010027091.tif 000005
【図４】
2010027091.tif 000006
【図５】
2010027091.tif 000007
【図６】
2010027091.tif 000008
【図７】
2010027091.tif 000009
【図８】
2010027091.tif 000010
【図９】
2010027091.tif 000011
【図１０】
2010027091.tif 000012
【図１１】
2010027091.tif 000013
【図１２】
2010027091.tif 000014
【図１３】
2010027091.tif 000015
【図１４】
2010027091.tif 000016
【図１５】
2010027091.tif 000017
【図１６】
2010027091.tif 000018
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
各情報の種類に対応する複数のファイルのコンテンツを表示する表示部を備える携帯情報端末であって、
上下左右の入力を行なう入力手段と、
検索条件に該当するコンテンツを含むファイルを取得する取得手段と、
取得したファイルを、情報の種類毎に、タブで分類して予め定めたレイアウトで配置する配置手段と、
前記入力手段の上下左右の入力に基づいて、前記配置手段にてタブで分類して配置したファイルを前記表示部に表示させる表示制御手段と、
を備える携帯情報端末。
【請求項２】
請求項１に記載の携帯情報端末であって、
前記表示制御手段は、前記入力手段の左又は右の入力に基づいて、前記配置手段にてタブで分類した情報の種類相互間のファイルの表示を切り替える
携帯情報端末。
【請求項３】
請求項１又は請求項２に記載の携帯情報端末であって、
前記表示制御手段は、前記入力手段の上の入力に基づいて、前記配置手段にてタブで分類した各情報の種類内の前のファイルを表示させ、前記入力手段の下の入力に基づいて、前記配置手段にてタブで分類した各情報の種類内の後のファイルを表示させる
携帯情報端末。
【請求項４】
請求項１乃至請求項３のいずれか１項に記載の携帯情報端末であって、
前記配置手段は、検索条件に該当するコンテンツを含むファイルを、当該ファイルの属性情報とともに配置する携帯情報端末。
【請求項５】
スケジュールの情報の種類と日記の情報の種類とに対応する複数のファイルのコンテンツを表示する表示部を備える携帯情報端末であって、
上下左右の入力を行なう入力手段と、
所定の日付の条件に該当するコンテンツを含むファイルを取得する取得手段と、
取得したファイルを、前記スケジュールの情報の種類と前記日記の情報の種類とで、タブで分類して、予め定めたレイアウトで配置する配置手段と、
前記入力手段の左又は右の入力に基づいて、前記配置手段にてタブで分類した前記スケジュールの情報の種類と前記日記の情報の種類との情報の種類相互間のファイルを切り替えて前記表示部に表示させ、前記入力手段の上の入力に基づいて、前記配置手段にてタブで分類した前記スケジュールの情報の種類又は前記日記の情報の種類の各情報の種類内の前のファイルを前記表示部に表示させ、前記入力手段の下の入力に基づいて、前記配置手段にてタブで分類した前記スケジュールの情報の種類又は前記日記の情報の種類の各情報の種類内の後のファイルを前記表示部に表示させる表示制御手段と、
を備える携帯情報端末。
【請求項６】
スケジュールの情報の種類と画像を含む情報の種類とに対応する複数のファイルのコンテンツを表示する表示部を備える携帯情報端末であって、
上下左右の入力を行なう入力手段と、
所定の日付の条件に該当するコンテンツを含むファイルを取得する取得手段と、
取得したファイルを、前記スケジュールの情報の種類と前記画像を含む情報の種類とで、タブで分類して、予め定めたレイアウトで配置する配置手段と、
前記入力手段の左又は右の入力に基づいて、前記配置手段にてタブで分類した前記スケジュールの情報の種類と前記画像を含む情報の種類との情報の種類相互間のファイルを切り替えて前記表示部に表示させ、前記入力手段の上の入力に基づいて、前記配置手段にてタブで分類した前記スケジュールの情報の種類又は前記画像を含む情報の種類の各情報の種類内の前のファイルを前記表示部に表示させ、前記入力手段の下の入力に基づいて、前記配置手段にてタブで分類した前記スケジュールの情報の種類又は前記画像を含む情報の種類の各情報の種類内の後のファイルを前記表示部に表示させる表示制御手段と、
を備える携帯情報端末。
【請求項７】
各情報の種類に対応する複数のファイルのコンテンツを表示部に表示させるためのプログラムであって、コンピュータを、
上下左右の入力を行なう入力手段、
検索条件に該当するコンテンツを含むファイルを取得する取得手段、
取得したファイルを、情報の種類毎に、タブで分類して予め定めたレイアウトで配置する配置手段、
前記入力手段の上下左右の入力に基づいて、前記配置手段にてタブで分類して配置したファイルを前記表示部に表示させる表示制御手段、
として機能させるためのプログラム。
【請求項８】
スケジュールの情報の種類と日記の情報の種類とに対応する複数のファイルのコンテンツを表示部に表示させるためのプログラムであって、コンピュータを、
上下左右の入力を行なう入力手段、
所定の日付の条件に該当するコンテンツを含むファイルを取得する取得手段、
取得したファイルを、前記スケジュールの情報の種類と前記日記の情報の種類とで、タブで分類して、予め定めたレイアウトで配置する配置手段、
前記入力手段の左又は右の入力に基づいて、前記配置手段にてタブで分類した前記スケジュールの情報の種類と前記日記の情報の種類との情報の種類相互間のファイルを切り替えて前記表示部に表示させ、前記入力手段の上の入力に基づいて、前記配置手段にてタブで分類した前記スケジュールの情報の種類又は前記日記の情報の種類の各情報の種類内の前のファイルを前記表示部に表示させ、前記入力手段の下の入力に基づいて、前記配置手段にてタブで分類した前記スケジュールの情報の種類又は前記日記の情報の種類の各情報の種類内の後のファイルを前記表示部に表示させる表示制御手段、
として機能させるためのプログラム。
【請求項９】
スケジュールの情報の種類と画像を含む情報の種類とに対応する複数のファイルのコンテンツを表示部に表示させるためのプログラムであって、コンピュータを、
上下左右の入力を行なう入力手段、
所定の日付の条件に該当するコンテンツを含むファイルを取得する取得手段、
取得したファイルを、前記スケジュールの情報の種類と前記画像を含む情報の種類とで、タブで分類して、予め定めたレイアウトで配置する配置手段、
前記入力手段の左又は右の入力に基づいて、前記配置手段にてタブで分類した前記スケジュールの情報の種類と前記画像を含む情報の種類との情報の種類相互間のファイルを切り替えて前記表示部に表示させ、前記入力手段の上の入力に基づいて、前記配置手段にてタブで分類した前記スケジュールの情報の種類又は前記画像を含む情報の種類の各情報の種類内の前のファイルを前記表示部に表示させ、前記入力手段の下の入力に基づいて、前記配置手段にてタブで分類した前記スケジュールの情報の種類又は前記画像を含む情報の種類の各情報の種類内の後のファイルを前記表示部に表示させる表示制御手段、
として機能させるためのプログラム。
【手続補正２】
【補正対象書類名】明細書
【補正対象項目名】０００８
【補正方法】変更
【補正の内容】
【０００８】
本発明の携帯情報端末は、各情報の種類に対応する複数のファイルのコンテンツを表示する表示部を備える携帯情報端末であって、上下左右の入力を行なう入力手段と、検索条件に該当するコンテンツを含むファイルを取得する取得手段と、取得したファイルを、情報の種類毎に、タブで分類して予め定めたレイアウトで配置する配置手段と、前記入力手段の上下左右の入力に基づいて、前記配置手段にてタブで分類して配置したファイルを前記表示部に表示させる表示制御手段と、を備える。上記構成によれば、取得したファイルを、情報の種類毎に、予め定めたレイアウトで配置する配置手段を備えることにより、複数の情報の種類から検索した結果を集約して表示できる為、検索条件に該当するコンテンツを含むファイルを包括的に把握することができ、利便性を向上させることができる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
また、本発明の表示制御プログラムは、各情報の種類に対応する複数のファイルのコンテンツを表示部に表示させるためのプログラムであって、コンピュータを、上下左右の入力を行なう入力手段、検索条件に該当するコンテンツを含むファイルを取得する取得手段、取得したファイルを、情報の種類毎に、タブで分類して予め定めたレイアウトで配置する配置手段、前記入力手段の上下左右の入力に基づいて、前記配置手段にてタブで分類して配置したファイルを前記表示部に表示させる表示制御手段、として機能させるためのプログラムである。
【手続補正９】
【補正対象書類名】明細書
【補正対象項目名】００１５
【補正方法】変更
【補正の内容】
【００１５】
本発明によれば、取得したファイルを、情報の種類毎に、予め定めたレイアウトで配置することにより、複数の情報の種類から検索した結果を表示できる為、検索条件に該当するコンテンツを含むファイルを包括的に把握することができ、利便性を向上させることができる。
【手続補正１０】
【補正対象書類名】明細書
【補正対象項目名】００６３
【補正方法】変更
【補正の内容】
【００６３】
本発明は、取得したファイルを、情報の種類毎に、予め定めたレイアウトで配置する配置手段を備えることにより、複数の情報の種類から検索した結果を表示できる為、検索条件に該当するコンテンツを含むファイルを包括的に把握することができ、利便性を向上させることができる効果を有し、携帯情報端末及びその表示制御プログラム等に有用である。